(57)【要約】【課題】手動工具のホルダー部（柄）を無くして様々な工具でも使用可能な六角ビット方式の金属製バンド締付工具を提供する。【解決手段】金属製の棒体２の先端部３に縦穴５を設けるとともに前記先端部３の側面に前記縦穴５と連通するスリット６を設け、更に、前記棒体２の先端に前記スリット６に接続する傾斜した金属製バンド誘導面７を設け、かつ、前記棒体２の後端部４に角柱状の電動ドライバー装着部１０を設ける。【選択図】図１
2011194515.tif 000002
【特許請求の範囲】
【請求項１】
金属製の棒体の先端部に縦穴を設けるとともに前記先端部の側面に前記縦穴と連通するスリットを設け、更に、前記棒体の先端に前記スリットに接続する傾斜した金属製バンド誘導面を設け、かつ、前記棒体の後端部に角柱状の電動ドライバー装着部を設けたことを特徴とする金属製バンド締付工具。
【請求項２】
金属製の棒体の先端部に縦穴を設けるとともに前記先端部の側面に前記縦穴と連通するスリットを設け、更に、前記棒体の先端に前記スリットに接続する傾斜した金属製バンド誘導面を設け、かつ、該金属製バンド誘導面を、前記スリットに対して回転前方側となるスリット前壁側に設けることを特徴する請求項１記載の金属製バンド締付工具。
【請求項３】
金属製の棒体の先端部に縦穴を設けるとともに前記先端部の側面に前記縦穴と連通するスリットを設け、更に、前記棒体の先端に前記スリットに接続する傾斜した金属製バンド誘導面を設け、かつ、該金属製バンド誘導面を、前記スリットに対して回転前方側となるスリット前壁側に設け、前記スリットに対して回転後方側となるスリット後壁側を一直線状の壁面にすることを特徴とする請求項１記載の金属製バンド締付工具。
【発明の詳細な説明】
【技術分野】
【０００１】
本発明は、電線や通信ケーブル等の線条体を金属製のバンドを用いて梯子状の鉄製の電路に固縛する時に使用する金属製バンド締付工具に関するものである。
【背景技術】
【０００２】
従来、電線を鉄製のバンド（「電線バンド」とも云う。）を用いて梯子状の鉄製の電路に固縛することが行なわれている。電線を電路に固定する鉄製のバンドとしては、既にＤバンドや巻きバンド等が市販されている。例えば、Ｄバンド２０は、図６に示すように、Ｄ字形のヘッド部２１とベルト状のストラップ部２２により形成され、前記ヘッド部２１には、Ｄ字形のストラップ挿入口２３が設けられている。
【０００３】
Ｄバンド２０を用いて梯子状の電路３０上に敷設された電線４０を電路３０に固縛する時は、図７に示すように、電路３０を構成している横桁３１の下側にＤバンド２０を掛け廻してから電線４０の上方でＤバンド２０のストラップ挿入口２３にストラップ部２２を通し、次いで、後述する手動工具５０を用いてストラップ部２２の先端２４を渦巻き状に巻き締めてストラップ部２２がへッド部２１から抜けないようにしている。この際、ストラップ部２２の先端２４を渦巻き状に巻き締める時にＤ字形のヘッド部２１が変形してストラップ部２２の抜け防止に役立っている。
【０００４】
尚、電路３０を構成している横桁３１には、長方形の貫通孔３２が横桁３１の長さ方向に一定の間隔で、多数、設けられている。
【０００５】
上記手動工具５０は、図８に示すように、木製やプラスチック製のホルダー部（柄）５１の先端に金属製の棒体５２を植立させたものであり、棒体５２の先端部には、Ｄバンド２０のストラップ部２２の先端２４を挿入するためのスリット５３が設けられている。
【０００６】
しかしながら、従来は、Ｄバンド２０のストラップ部２２を渦巻き状に巻き締める巻き締め作業が手作業であるから時間がかかる。例えば、ＢＣ船（バルクキャリア船）では、船殻工事が全体の７０％、艤装工事は１７％であるが、１０００トン型の巡視船になると、船殻工事が全体の３９％、艤装工事は４９％を占めるので、工期が長くなる。また、連続して作業を続けると、軍手等の手袋を装着して作業に当たっても手の皮が剥けてしまうことがある。また、従来の手動工具は、一直線状であるから狭隘箇所での締め付け作業が不可能であった。
【０００７】
他方、ストラップの締め付け工具としては、ストラップの一端部を係止具に差し込み、その一端部を引き出しつつ締め付けることによってケーブル、ダクト等の部材を結束するストラップ締め付け工具が提案されているが、この種の工具は、多くの部品を組み付けた非常に複雑な構造の工具であるから本発明の権利化に害を与えるものではないと思われる（例えば、特許文献１参照。）。
【先行技術文献】
【特許文献】
【０００８】
【特許文献１】特許第２８３６０２３号公報
【発明の概要】
【発明が解決しようとする課題】
【０００９】
本発明は、上記のような問題を解決するためになされたものであり、その目的とするところは、手動工具のホルダー部（柄）を無くして様々な工具でも使用可能な六角ビット方式の金属製バンド締付工具を提供することにある。
【課題を解決するための手段】
【００１０】
本願の請求項１に係る金属製バンド締付工具は、金属製の棒体の先端部に縦穴を設けるとともに前記先端部の側面に前記縦穴と連通するスリットを設け、更に、前記棒体の先端に前記スリットに接続する傾斜した金属製バンド誘導面を設け、かつ、前記棒体の後端部に角柱状の電動ドライバー装着部を設けたことを特徴とするものである。
【００１１】
本願の請求項２に係る金属製バンド締付工具は、請求項１において、金属製の棒体の先端部に縦穴を設けるとともに前記先端部の側面に前記縦穴と連通するスリットを設け、更に、前記棒体の先端に前記スリットに接続する傾斜した金属製バンド誘導面を設け、かつ、該金属製バンド誘導面を、前記スリットに対して回転前方側となるスリット前壁側に設けることを特徴としている。。
【００１２】
本願の請求項３に係る金属製バンド締付工具は、請求項１において、金属製の棒体の先端部に縦穴を設けるとともに前記先端部の側面に前記縦穴と連通するスリットを設け、更に、前記棒体の先端に前記スリットに接続する傾斜した金属製バンド誘導面を設け、かつ、該金属製バンド誘導面を、前記スリットに対して回転前方側となるスリット前壁側に設け、前記スリットに対して回転後方側となるスリット後壁側を一直線状の壁面にすることを特徴としている。
【発明の効果】
【００１３】
上記のように、本発明は、金属製の棒体の先端部に縦穴を設けるとともに前記先端部の側面に前記縦穴と連通するスリットを設け、更に、前記棒体の先端に前記スリットに接続する傾斜した金属製バンド誘導面を設け、かつ、前記棒体の後端部に角柱状の電動ドライバー装着部を設けたので、棒状の金属製バンド締付工具の後端部を図示しない電動ドライバーの先端チャック部に装着した後、金属製バンドのストラップ部の一方の縁を金属製バンド締付工具の先端に設けられている金属製バンド誘導面に当てると、ストラップ部の縁が金属製バンド誘導面に沿って移動してスリット内に円滑に誘導される。
【図面の簡単な説明】
【００１４】
【図１】本発明に係る金属製バンド締付工具の平面図である。
【図２】本発明に係る金属製バンド締付工具の正面図である。
【図３】本発明に係る金属製バンド締付工具の背面図である。
【図４】本発明に係る金属製バンド締付工具の先端部の拡大斜視図である。
【図５】本発明に係る金属製バンド締付工具の使用説明図である。
【図６】Ｄ型バンドの平面図である。
【図７】電線を電路に固縛した状態を示す説明図である。
【図８】手動工具の平面図である。
【発明を実施するための形態】
【００１５】
次に、本発明の実施形態を図面を用いて説明する。
【００１６】
図１に示すように、本発明に係る金属製バンド締付工具１は、鋼鉄製の丸棒状の棒体２からなり、その先端部３に軸線方向の縦穴５を設けている。縦穴５としては、図２に示すように、丸孔が好ましいが、これに限定されるものではなく、六角形や八角形等の多角形の孔でも支障がない。
【００１７】
また、金属製バンド締付工具１は、図１及び図２に示すように、棒体２の先端部３の側面に縦穴５と連通する軸線方向のスリット６を設けている。更に、金属製バンド締付工具１は、図１及び図４に示すように、棒体２の先端にスリット６に接続する傾斜した金属製バンド誘導面７を設けている。
【００１８】
更に詳しく説明すると、図４に示すように、金属製バンド締付工具１を矢印ａ方向に回転させる場合、金属製バンド誘導面７は、スリット６に対して回転前方側となるスリット前壁８側に位置している。この場合、スリット６に対して回転後方側となるスリット後壁９側は、一直線状の壁面であるから金属バンドの締め付け作業に何ら支障がない。
【００１９】
更に、金属製バンド締付工具１は、図３に示すように、棒体２の後端部４に角柱状（例えば、六角状等）の電動ドライバー装着部１０を設け、市販されている電動ドライバーの先端チャック部に装着できるようになっている。
【００２０】
上記金属製バンド締付工具１の寸法について説明すると、金属製バンドの一種であるＤバンド２０のストラップ部２２の横幅をＷとすると、棒体２の全長は４Ｗ、棒体２の先端部３の長さは３Ｗ、棒体２の後端部４の長さは３Ｗ、棒体２の直径は約Ｗ／２、金属製バンド誘導面７の最大深さＡは２Ｗ／５、スリット６の幅は１ｍｍである。
【００２１】
しかして、金属製バンド締付工具１の後端部４を図示しない電動ドライバーの先端チャック部に装着した後、金属製バンド締付工具１のスリット６に金属製バンドの一種であるＤバンド２０のストラップ部２２の先端を挿入する。その際、図５に示すように、ストラップ部２２の一方の縁２５を金属製バンド締付工具１の先端に設けられている金属製バンド誘導面７に当てると、ストラップ部２２の縁２５が金属製バンド誘導面７に沿って移動し、スリット６内に円滑に誘導される。
【００２２】
なお、金属製バンド締付工具１の上記寸法は、一例を示したものに過ぎず、この寸法に限定されるものではない。
【符号の説明】
【００２３】
２  棒体
３  先端部
５  縦穴
６  スリット
７  金属製バンド誘導面
１０  電動ドライバー装着部
【図１】
2011194515.tif 000003
【図２】
2011194515.tif 000004
【図３】
2011194515.tif 000005
【図４】
2011194515.tif 000006
【図５】
2011194515.tif 000007
【図６】
2011194515.tif 000008
【図７】
2011194515.tif 000009
【図８】
2011194515.tif 000010